(57)【要約】【課題】スカート部と踏み段の側縁部との隙間への引き込まれを防止すると共に、挟まれ状態が生じても、この挟まれ状態を容易に解除することが可能なスカートディフレクターを備えた乗客コンベアを提供する。【解決手段】無端状に連結した複数の踏み段１１からなる移動路１２の両側にスカート部１４を設け、このスカート部１４に移動路１２の移動面１２ａとほぼ平行にスカートディフレクター１７を設けた。スカートディフレクター１７は、スカート部１４との接合面を兼ねる底面部１７１ａ、及びこの底面部１７１ａから分岐形成された突出面部１７１ｂとからなる、横断面が略Ｔ字形状を成す長尺状の第１の部材１７１と、この第１の部材１７１の周囲を覆いスカートディフレクター１７の外形を形成する第２の部材１７２とからなる。第１の部材１７１は、外力に対しては変形可能な剛性を有する軟性樹脂により作られ、第２の部材１７２は、第１の部材１７１より剛性の低い材質により作られている。【選択図】図２
2019210098.tif 000002
【特許請求の範囲】
【請求項１】
無端状に連結した複数の踏み段を周回駆動して移動路を構成し、この移動路の両側にスカート部を設けた乗客コンベアであって、
このスカート部の、前記移動路の移動面から所定の高さ位置に前記移動面とほぼ平行に取付けられ、このスカート部と前記踏み段の側辺との隙間を覆うように前記移動路の上方に横向きに突出するスカートディフレクターを有し、
前記スカートディフレクターは、前記スカート部との接合面を兼ねる底面部、及びこの底面部から分岐形成された突出面部とからなる、横断面が略Ｔ字形状を成す長尺状の第１の部材と、この第１の部材の周囲を覆いスカートディフレクターの外形を形成する第２の部材とからなり、
前記第１の部材は前記スカートディフレクターとしての形状を維持し、外力に対しては変形可能な剛性を有する軟性樹脂により作られ、前記第２の部材は、前記第１の部材より剛性の低い材質により作られている
ことを特徴とする乗客コンベア。
【請求項２】
前記スカートディフレクターを構成する第１の部材の前記突出面部は、前記移動面からの距離が、前記移動路の移動方向に進むにつれて拡大するように、前記移動面に対して傾斜していることを特徴とする請求項１に記載の乗客コンベア。
【請求項３】
前記スカートディフレクターを構成する前記第１の部材の、前記底面部から分岐した突出面部は、前記分岐した根元部の厚さが先端部の厚さより厚く形成されていることを特徴とする請求項１又は請求項２に記載の乗客コンベア。
【請求項４】
前記第２の部材は、前記移動路に面した表面に、この表面の摩擦係数が、他の部分より低くなる加工が施されていることを特徴とする請求項１乃至請求項３のいずれか１項に記載の乗客コンベア。
【請求項５】
前記スカートディフレクターの前記移動路の上方に突出した先端部には、ブラシが取り付けられていることを特徴とする請求項１乃至請求項４のいずれか１項に記載の乗客コンベア。
【請求項６】
前記ブラシを前記スカートディフレクターにネジで取付ける場合のネジの位置は、前記傾斜した前記突出面部より高い位置であることを特徴とする請求項５に記載の乗客コンベア。
【発明の詳細な説明】
【技術分野】
【０００１】
本発明の実施形態は、エスカレータやオートロードとして用いられる乗客コンベアに関する。
【背景技術】
【０００２】
一般に、空港内建物や、デパートなどの各種の施設には、エスカレータやオートロードと呼ばれる乗客コンベアが設置されている。この乗客コンベアは、無端状に連結した複数の踏み段を周回駆動して移動路を構成し、この移動路の両側に欄干のスカート部を設置した構造が採用されている。
【０００３】
このような乗客コンベアでは、スカートディフレクターと称される安全装置が設けられている。スカートディフレクターは、スカート部の下部に、踏み段の上方に向けて横向きに設けられたベース部にブラシを取り付けたもので、スカート部と踏み段の側縁部との隙間に、移動路上のベビーカーやキャリー等の車輪部や靴の先端など引き込まれることを防止するものである。
【０００４】
ここで、スカートディフレクターは、上述のようにブラシ部とブラシを固定するベース部で構成されており、ベース部は固い樹脂製である。この場合、ベース部と踏み段の間に、前述したベビーカーやキャリー等の車輪部や靴の先端などが挟まった場合、ベース部が固い材質であるため変形せず、挟まり状態を解除することが困難な場合があり、転倒事故の原因となる問題があった。
【先行技術文献】
【特許文献】
【０００５】
【特許文献１】特開２００４−５２１０４０号公報
【特許文献２】特開２０１１−２５１８４８号公報
【発明の概要】
【発明が解決しようとする課題】
【０００６】
このように、スカートディフレクターのベース部が固い材質であるため、ベビーカーやキャリー等の車輪部や靴の先端などが挟まった場合、これらを取り出すことが困難であり、転倒事故の原因となることがある。
【０００７】
本発明は、スカート部と踏み段の側縁部との隙間への引き込まれを防止すると共に、挟まれ状態が生じても、この挟まれ状態を容易に解除することが可能なスカートディフレクターを備えた乗客コンベアを提供することにある。
【課題を解決するための手段】
【０００８】
本発明の実施の形態に係る乗客コンベアは、無端状に連結した複数の踏み段を周回駆動して移動路を構成し、この移動路の両側にスカート部を設けた乗客コンベアであって、このスカート部の、前記移動路の移動面から所定の高さ位置に前記移動面とほぼ平行に取付けられ、このスカート部と前記踏み段の側辺との隙間を覆うように前記移動路の上方に横向きに突出するスカートディフレクターを有し、前記スカートディフレクターは、前記スカート部との接合面を兼ねる底面部、及びこの底面部から分岐形成された突出面部とからなる、横断面が略Ｔ字形状を成す長尺状の第１の部材と、この第１の部材の周囲を覆いスカートディフレクターの外形を形成する第２の部材とからなり、前記第１の部材は前記スカートディフレクターとしての形状を維持し、外力に対しては変形可能な剛性を有する軟性樹脂により作られ、前記第２の部材は、前記第１の部材より剛性の低い材質により作られている。
【０００９】
上記構成によれば、スカートディフレクターが、軟性樹脂により変形可能作られているので、踏み段との間に、ベビーカーやキャリー等の車輪部や靴の先端などの物体が挟まっても容易にこの挟まり状態を解除でき、転倒事故などを未然に防止することができる。
【図面の簡単な説明】
【００１０】
【図１】本発明の一実施形態に係る乗客コンベアを説明する図である。
【図２】本発明の一実施形態の要部であるスカート部とスカートディフレクターとの関係を示す図である。
【図３】スカートディフレクターの、突出面部の形状を説明する図である。
【図４】図３の断面Ａ-Ａ、断面Ｂ-Ｂ、断面Ｃ-Ｃをそれぞれ示す図である。
【図５】スカートディフレクターとブラシ取付等ネジ孔との関係を示す図である。
【発明を実施するための形態】
【００１１】
以下、本発明の実施の形態について、図面を参照して詳細に説明する。
【００１２】
図１は本発明の実施の形態に係る乗客コンベアの一例としてエスカレータを示した構成図である。以下、エスカレータを例にとって説明する。
【００１３】
図1で示すエスカレータは、周知のように、移動可能に構成された複数の踏み段１１を無端状に連結し、これを、図示を省略した駆動機構によって周回駆動することで移動路１２を構成している。この移動路１２の両側には欄干１３が設置され、その下部にはスカート部１４が設けられている。なお、欄干１３にはベルト状の移動手摺１５が設けられている。また、スカート部１４は移動路１２のほぼ全長に亘って設けられている。
【００１４】
移動路１２を構成する各踏み段１１の側辺と、スカート部１４との間には、踏み段１１の移動を可能にするため、図２で示すように隙間が形成されている。この隙間に、踏み段上の乗客の靴の一部、例えば、ハイヒールのかかと部分や、幼児の柔らかい靴の一部などが吸い込まれたり、稀にはベビーカーやキャリー等の車輪部が吸い込まれたりすることがある。
【００１５】
このような事態を未然に防止するため、図１で示すように、スカートディフレクター１７を、移動路１２のほぼ全長に亘って設けている。このスカートディフレクター１７は、スカート部１４の、移動路１２の移動面(図１において２点鎖線の仮想線で示す面１２ａ)から所定の高さ位置に、移動面１２ａとほぼ平行に取付けられている。そして、図２で示すように、このスカート部１４と踏み段１１の側辺との間の隙間を覆うように、移動路１２の上方に横向きに突出している。
【００１６】
すなわち、スカートディフレクター１７は、エスカレータのスカート部１４の表面上にネジや接着等により強固に取り付けられ、踏み段１１とスカート部１４との隙間に物体が接近することを防ぐことでこの隙間における挟まれを防止する。
【００１７】
また、スカートディフレクター１７は、芯材となる第１の部材１７１と、この第１の部材１７１の周囲を覆いスカートディフレクター１７の外形を形成する第２の部材１７２とからなる。第１の部材１７１は、スカート部１４との接合面を兼ねる底面部１７１ａ、及びこの底面部１７１ａから分岐形成された突出面部１７１ｂとからなる、横断面が略Ｔ字形状を成す長尺状の部材である。
【００１８】
この第１の部材１７１は、スカートディフレクター１７としての形状を維持し、外力に対しては変形可能な剛性を有する軟性樹脂により作られている。すなわち、第１の部材１７１を形成する軟性樹脂には、荷重がかかった際におよそ２ｍｍ程度の微小の変形はするが、スカートディフレクター１７として必要な強度・剛性を持つ樹脂が選択される。例えば、ヤング率が１０００Ｍｐａ以下(８００〜９００Ｍｐａ程度)の樹脂材を用いる。
【００１９】
また、第1の部材１７１の、底面部１７１ａから分岐した突出面部１７１ｂは、分岐した根元部の厚さが先端部の厚さより厚く形成されている。このように形成すると、スカートディフレクター１７としての強度を確保すると共に、樹脂の成型加工時に金型から抜けやすくなり、作業性が向上する。
【００２０】
第２の部材１７２は、第１の部材１７１より剛性の低い材質、例えば、発泡ウレタン等の樹脂により作られている。この第２の部材１７２は、前述のように、スカートディフレクター１７の外形が一定となるように、第１の部材１７１以外の空間を埋めつつ、荷重がかかった際の第１の部材１７１の変形を抑制しないように、第１の部材１７１よりも剛性の低い樹脂を選択する。
【００２１】
さらに、第２の部材１７２の、移動路１２に面した表面(図示下面)には、この表面の摩擦係数が、他の部分より低くなる加工を施している。すなわち、第２の部材１７２の上述した表面には、潤滑性の良い表面加工、例えば、フッ素樹脂加工や 表面を平滑にする構造とする。このようにすることで、スカートディフレクター１７と踏み段１１との間に物体が引っ掛かるリスクを、より一層低減することが可能となる。
【００２２】
スカートディフレクター１７の移動路１２の上方に突出した先端部には、図２で示すように、ブラシ１８が取り付けられている。このブラシ１８はスカートディフレクター１７の先端部に、接着接合やネジ締結で固定される。ブラシ１８の取り付けに当たっては、ブラシ１８の根元部１８ａが第２の部材１７２の表面よりも露出しないように、第２の部材１７２の表面より１〜２ｍｍ 程度の引っ込めた位置となる構造とする。
【００２３】
スカートディフレクター１７を構成する第1の部材１７１の突出面部１７１ｂは、図３で示すように、移動面１２ａからの距離が、移動路１２の移動方向に進むにつれて拡大するように、移動面１２ａに対して傾斜するように構成するとよい。
【００２４】
図４はスカートディフレクター１７の、図３で示した断面Ａ-Ａ、断面Ｂ-Ｂ、断面Ｃ-Ｃの横断面形状により、第１の部材１７１の突出面部１７１ｂが傾斜していることを表している。第１の部材１７１は、底面部１７１ａの図示下辺から突出面部１７１ｂまでの距離が、図示左端の距離Ｘ１から、図示右端ではＸ２まで変化しており、エスカレータの移動方向に伴い踏み段１１から突出面部１７１ｂの下面までの距離が広がる構造である。このため、スカートディフレクター１７と踏み段１１との間に物体が挟まっても、エスカレータの移動に伴って物体の抜けやすさを増大させることができる。
【００２５】
スカートディフレクター１７は長さＬで製造されるため、エスカレータには複数のスカートディフレクター１７が長手方向に連続して設置される。このため、スカートディフレクター１７間の接合部では、突出面部１７１ｂの高さがＸ２からＸ１に減少するが、各々のスカートディフレクター１７では移動方向に伴い踏み段１１からの距離がＸ１からＸ２に増大するため、最終段のスカートディフレクター１７でも 必ず高さが広がることとなり、取り出しやすさを維持できる。
【００２６】
図５は、ブラシ１８をネジでスカートディフレクター１７に固定する場合の第１の部材１７１におけるネジ固定部１８ｄの位置を示す。ネジ固定部１８ｄの高さ位置Ｙを、エスカレータの踏み段１１の移動方向に伴い傾斜する突出面部１７１ｂより上側に位置する構造とする。このことで、スカートディフレクター１７と踏み段１１に挟まれた物体が、踏み段１１の移動に伴い移動したとしても突出面部１７１ｂの下側で引っ掛かる要素を減らすことができる。
【００２７】
上記構成において、無端状に連結された複数の踏み段１１からなる移動路上１２に、スカート部１４からスカートディフレクター１７を横向きに突出させ、踏み段１１の側辺とスカート部１４との隙間を覆うので、この隙間に踏み段１１上の物体が接近しにくくなり、隙間への吸い込みや挟み込みを確実に防止できる。また、スカートディフレクター１７と踏み段１１との間に物体が挟まっても、スカートディフレクター１７に軟性樹脂を使用したことにより変形しやすくなり、挟まれ状態から物体を容易に取り出すことができる。
【００２８】
特に、スカートディフレクター１７を構成する第１の部材１７１の突出面部１７１ｂの踏み段１１からの高さをが、スカレータの移動方向に伴い拡大する構造とすれば、挟まれが起こった際にも 抜けやすさを一層増大させることができ、挟まれ事故のリスクを低減することが可能となる。
【００２９】
上記実施の形態では、スカートディフレクター１７はブラシ１８を有する構造として説明したが、本発明の実施の形態では、スカートディフレクター１７自体が軟質樹脂でつくられていることから、ブラシ１８を省略してもよい。
【００３０】
また、乗客コンベアの一例としてエスカレータを用いて説明したが、オートロードなどの他の乗客コンベアにも本発明を同様に適用することができる。
【００３１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３２】
１１…踏み段
１２…移動路
１２ａ…移動面
１４…スカート部
１７…スカートディフレクター
１７１…第１の部材
１７１ａ…底面部
１７１ｂ…突出面部
１７２…第２の部材
１８…ブラシ
【図１】
2019210098.tif 000003
【図２】
2019210098.tif 000004
【図３】
2019210098.tif 000005
【図４】
2019210098.tif 000006
【図５】
2019210098.tif 000007
【手続補正書】
【提出日】令和1年7月8日(2019.7.8)
【手続補正１】
【補正対象書類名】明細書
【補正対象項目名】０００８
【補正方法】変更
【補正の内容】
【０００８】
本発明の実施の形態に係る乗客コンベアは、無端状に連結した複数の踏み段を周回駆動して移動路を構成し、この移動路の両側にスカート部を設けた乗客コンベアであって、このスカート部の、前記移動路の移動面から所定の高さ位置に前記移動面とほぼ平行に取付けられ、このスカート部と前記踏み段の側辺との隙間を覆うように前記移動路の上方に横向きに突出するスカートディフレクターを有し、前記スカートディフレクターは、前記スカート部との接合面を兼ねる底面部、及びこの底面部から分岐形成された突出面部とからなる、横断面が略Ｔ字形状を成す長尺状の第１の部材と、この第１の部材の前記略Ｔ字形状を成す部分の周囲を覆いスカートディフレクターの外形を形成する第２の部材とからなり、前記第１の部材は前記スカートディフレクターとしての形状を維持し、外力に対しては変形可能な剛性を有する軟性樹脂により作られ、前記第２の部材は、前記第１の部材より剛性の低い材質により作られている。
【手続補正２】
【補正対象書類名】特許請求の範囲
【補正対象項目名】全文
【補正方法】変更
【補正の内容】
【特許請求の範囲】
【請求項１】
無端状に連結した複数の踏み段を周回駆動して移動路を構成し、この移動路の両側にスカート部を設けた乗客コンベアであって、
このスカート部の、前記移動路の移動面から所定の高さ位置に前記移動面とほぼ平行に取付けられ、このスカート部と前記踏み段の側辺との隙間を覆うように前記移動路の上方に横向きに突出するスカートディフレクターを有し、
前記スカートディフレクターは、前記スカート部との接合面を兼ねる底面部、及びこの底面部から分岐形成された突出面部とからなる、横断面が略Ｔ字形状を成す長尺状の第１の部材と、この第１の部材の前記略Ｔ字形状を成す部分の周囲を覆いスカートディフレクターの外形を形成する第２の部材とからなり、
前記第１の部材は前記スカートディフレクターとしての形状を維持し、外力に対しては変形可能な剛性を有する軟性樹脂により作られ、前記第２の部材は、前記第１の部材より剛性の低い材質により作られている
ことを特徴とする乗客コンベア。
【請求項２】
前記スカートディフレクターを構成する第1の部材の前記突出面部は、前記移動面からの距離が、前記移動路の移動方向に進むにつれて拡大するように、前記移動面に対して傾斜していることを特徴とする請求項1に記載の乗客コンベア。
【請求項３】
前記スカートディフレクターを構成する前記第1の部材の、前記底面部から分岐した突出面部は、前記分岐した根元部の厚さが先端部の厚さより厚く形成されていることを特徴とする請求項1又は請求項２に記載の乗客コンベア。
【請求項４】
前記第２の部材は、前記移動路に面した表面に、この表面の摩擦係数が、他の部分より低くなる加工が施されていることを特徴とする請求項1乃至請求項３のいずれか１項に記載の乗客コンベア。
【請求項５】
前記スカートディフレクターの前記移動路の上方に突出した先端部には、ブラシが取り付けられていることを特徴とする請求項1乃至請求項４のいずれか１項に記載の乗客コンベア。
【請求項６】
前記スカートディフレクターの前記移動路の上方に突出した先端部には、ブラシが取り付けられ、前記ブラシを前記スカートディフレクターにネジで取付ける場合のネジの位置は、前記傾斜した前記突出面部より高い位置であることを特徴とする請求項２に記載の乗客コンベア。